(57)【要約】  【課題】断熱ケースの分割面が同一平面上にない場合においても、取り外しが容易にできる断熱ケースとこれを備えた冷却ユニットを提供する。  【解決手段】断熱ケース１は、突堤状に長い凸部５、７を有するスチロール成型品の第一ケース２と、凸部５、７が嵌合する凹部６、８を備えたスチロール成型品の第二ケース３を具備し、さらに、凸部５、７と凹部６、８の嵌合面に保護シート９を貼り付けたものである。これにより、凸部５、７と凹部６、８の嵌合が保護シート９を介して行え、シール性が確保できると共に、保護シート９により、凸部５、７および凹部６、８の破損を防止し、スロール製断熱ケース１の信頼性を高めることができる。【選択図】図１
2010032151.tif 000002
【特許請求の範囲】
【請求項１】
スチロール成型材により形成され、内部が空洞でかつ、連続した分割面を有する断熱ケースを、前記分割面を境に分割する第一ケースと第二ケースより構成し、さらに前記第一、第二ケースのいずれか一方の分割面に、前記分割方向に略同じ幅寸法で突出する突堤状の凸部を設け、前記第一、第二ケースのいずれか他方の分割面に、前記凸部が嵌合する溝状の凹部を設け、前記凸部もしくは凹部の少なくともいずれか一方における相手方との嵌合面に、該嵌合面に密着する第一保護シートを設けた断熱ケース。
【請求項２】
前記第一保護シートを設けた凸部もしくは凹部と嵌合する相手方の嵌合面に、前記第一保護シートと同材製の第二保護シートを設けた請求項１に記載の断熱ケース。
【請求項３】
前記第一、第二の保護シートを、接着剤あるいは粘着剤によって凸部あるいは凹部の嵌合面に貼り付けた請求項１または２に記載の断熱ケース。
【請求項４】
コンプレッサと、減圧装置と、凝縮器と、蒸発器を環状に連結した冷凍サイクルおよび、周辺空気と前記凝縮器の熱交換を促進する凝縮器用ファンと、周辺空気と前記蒸発器の熱交換を促進する蒸発器用ファンを具備した冷却ユニットであって、請求項１から３のいずれか一項に記載の断熱ケース内に、前記蒸発器および蒸発器用ファンを配置した冷却ユニット。
【発明の詳細な説明】
【技術分野】
【０００１】
本発明は、冷凍サイクルを具備する冷却ユニットに関し、さらに詳しくは、例えば冷凍冷蔵ショーケースの下部機械室等に設置され、前記冷凍サイクル部品を覆う断熱ケースを備えた冷却ユニットに関する。
【背景技術】
【０００２】
従来の冷凍冷蔵ショーケースに設けられた冷却システムにおいて、冷凍サイクルを構成する蒸発器は、その下部にドレンパンを設置した状態で、スチロール成型された断熱ケース内に配置されていた。
【０００３】
前記断熱ケースは、上下に分割可能な構成となっており、その分割面には、一方に突堤状の凸部が、他方に溝状の凹部がそれぞれ設けられ、前記凹部と凸部の嵌合により、熱漏れのない断熱ケースを構成していた（例えば、特許文献１参照）。
【０００４】
かかる冷却ユニットの構成について、図７、図８を参照して説明する。図７は、特許文献１に記載された冷却ユニットに設けられる断熱ケースの分割状態を示す斜視図であり、図８は、同断熱ケースに設けられた突堤状凸部の部分断面図である。
【０００５】
図７において、スチロール成型された断熱ケースは、上断熱ケース５１ａと下断熱ケース５２ａにより、平面方向において上下に分割可能に構成されている。そして、その分割面において、上断熱ケース５１ａの下面側には、突堤状の凸部５１Ａが設けられ、また下断熱ケース５２ａの上面側には、凸部５１Ａが嵌合する凹部５２Ａが設けられている。
【０００６】
凸部５１Ａは、図８に示す如く断面形状において、基部分５１Ａ１の幅寸法Ｌ１よりも先端部５１Ａ２の幅寸法Ｌ２が大きく設定され、その先端部５１Ａ２は、断面が曲面を有する茸形に形成されている。そして、凸部５１Ａと凹部５２Ａは、同一平面上で嵌合結合している。
【０００７】
以上のように構成された断熱ケース内には、蒸発器（図示せず）が挟み込まれて設置され、断熱ケース外部とは、凸部５１Ａと凹部５２Ａのしっかりと結合された嵌合構造により断熱されている。
【特許文献１】特開２００１−２４１８３４号公報
【発明の開示】
【発明が解決しようとする課題】
【０００８】
しかしながら、上記従来の構成は、上断熱ケース５１ａと下断熱ケース５２ａとの結合面（分割面）が同一平面上にある場合は、一定の効果が得られるものの、分割面が、平面方向と立面方向（平面に対して直角あるいは傾斜方向）に亘って形成された構成の場合には、凸部５１Ａにおける先端部５１Ａ２の幅寸法Ｌ２が大きく設定されているため、上断熱ケース５１ａと下断熱ケース５２ａの分割に際し、平面方向に分割するように力を加えると、立面方向の嵌合解除において凸部５１Ａの先端部分５１Ａ２が、凹部５２Ａに引っ掛かり、さらに材質が発泡スチロールの成型品であるために、とても脆く割れ易いもので、容易に取り外すことができなかった。さらには、前述の脆さから分割の回数が重なると、凸部５１Ａの先端部分５１Ａ２が割れてしまい、特に上断熱ケース５１ａを新たに交換する必要があるという課題を有していた。
【０００９】
本発明は、上記従来の課題を解決するもので、上断熱ケースと下断熱ケースの結合が同一平面上にない場合、すなわち平面方向と立面方向に亘って分割面が連続している場合においても、サービス作業時等に上断熱ケースと下断熱ケースの取り外しが容易にできる断熱ケースを構成し、また、これを備えた冷却ユニットを提供することを目的とするものである。
【課題を解決するための手段】
【００１０】
上記従来の課題を解決するために、本発明の断熱ケースは、第一、第二ケースのいずれか一方の分割面に、分割方向に突出する突堤状の凸部を、他方の分割面に、前記凸部が嵌合する溝状の凹部を設け、前記凸部と凹部を、これらの間に、例えば、ある程度の伸縮が可能なビニール等を素材とする耐摩耗性に優れた保護シートを介在させて嵌合する構成としたものである。
【００１１】
これにより、断熱ケースにおける分割が、平面方向と立面方向に連続した分割面を境に分割する構成であっても、容易に分割することができ、また保護シートによって嵌合時のシール性を確保することができるものである。
【００１２】
また、本発明の冷却ユニットは、上記断熱ケース内に冷凍サイクルを構成する蒸発器と蒸発器用ファンを配置したものである。
【００１３】
かかることにより、メンテナンスの作業性が向上し、また第一ケースと第二ケースの分割に際し、凸部の破損を抑制することができ、冷却ユニットの信頼性の低下を抑制することができるものである。
【発明の効果】
【００１４】
本発明の断熱ケースは、断熱性能を確保することができ、また分割に際しても分割面に沿って突堤状に長く延びる凸部と凹部の分割が容易となり、断熱ケースの分割時における凸部の凹部への引っ掛かりに伴う破損を抑制することができる。
【００１５】
さらに、本発明の冷却ユニットは、断熱ケースの分割作業を容易とし、また分割面に沿って突堤状に延びる突部の破損も生じ難いため、メンテナンスの回数が重なる事態となった場合であっても、前述の如く第一ケースと第二ケースの嵌合状態を良好に維持することができ、蒸発器による冷却作用の低下が抑制でき、冷却ユニットの信頼性を高めることができるものである。
【発明を実施するための最良の形態】
【００１６】
請求項１に記載の発明は、スチロール成型材により形成され、内部が空洞でかつ、連続した分割面を有する断熱ケースを、前記分割面を境に分割する第一ケースと第二ケースより構成し、さらに前記第一、第二ケースのいずれか一方の分割面に、前記分割方向に略同じ幅寸法で突出する突堤状の凸部を設け、前記第一、第二ケースのいずれか他方の分割面に、前記凸部が嵌合する溝状の凹部を設け、前記凸部もしくは凹部の少なくともいずれか一方における相手方との嵌合面に、該嵌合面に密着する第一保護シートを設けたものである。
【００１７】
かかる構成とすることにより、断熱ケースの分割に際し、分割面が平面方向と立面方向に連続する構成の場合であっても、一方向（平面方向）に作用する力で分割が可能となり、その結果、分割作業の容易化がはかれ、メンテナンス等の作業性を向上することができる。さらに、分割面に沿って突堤状に長く延びる凸部は、保護シートによって覆われている状態であるため、該凸部を部分的に破損する不具合も発生し難く、第一、第二ケースの分割が複数回に亘る場合であっても、前記凸部の破損リスクが小さいことから、断熱ケースの寿命を維持することができる。また、保護シートにより、第一ケースと第二ケースの結合状態においてもシール性を確保することができ、断熱性の低下を抑制することができるものである。
【００１８】
請求項２に記載の発明は、請求項１に記載の発明において、前記第一保護シートを設けた凸部もしくは凹部と嵌合する相手方の嵌合面に、前記第一保護シートと同材製の第二保護シートを設けたものである。
【００１９】
かかる構成とすることにより、凸部と凹部の嵌合面は、二層化された前記保護シートを介しての嵌合となるため、耐摩耗性に優れ、第一、第二ケースの多数回に亘る分割に対しても、嵌合と気密性が確保でき、断熱ケースの信頼性を高めることができるものである。
【００２０】
請求項３に記載の発明は、請求項１または２に記載の発明において、前記第一、第二保護のシートを、接着剤あるいは粘着剤によって凸部あるいは凹部の嵌合面に貼り付けたものである。
【００２１】
かかる構成とすることにより、多数回に亘る第一、第二ケースの分割が伴っても容易に保護シートが剥がれることもなく、断熱ケースの信頼性を維持することができる。
【００２２】
請求項４に記載の発明は、コンプレッサと、減圧装置と、凝縮器と、蒸発器を環状に連結した冷凍サイクルおよび、周辺空気と前記凝縮器の熱交換を促進する凝縮器用ファンと、周辺空気と前記蒸発器の熱交換を促進する蒸発器用ファンを具備した冷却ユニットであって、請求項１から３のいずれか一項に記載の断熱ケース内に、前記蒸発器および蒸発器用ファンを配置した冷却ユニットである。
【００２３】
かかる構成とすることにより、蒸発器部のメンテナンス等に際し、第一ケースと第二ケースの分割作業が容易であり、メンテナンス等の作業性を向上することができる。また、断熱ケースの分割に際し、凸部と凹部が保護シートを介在しての嵌合構造であるため、凸部は、前記保護シートによって損傷し難い状態にある。その結果、突堤状に長く延びる凸部の破損が抑制でき、破損に伴う断熱ケースの信頼性の低下も抑制することができる。さらに、断熱ケースの分割面を、平面方向と立面方向に連続する構成とすることにより、断熱ケースの分割面を同一平面とする設計上の制約がなくなるため、冷却ユニットの断熱ケースによる構成、形状の制限を緩和して設計の自由度を向上することができる。
【００２４】
以下、本発明の実施の形態について、図面を参照しながら説明する。なお、この実施の形態によって本発明が限定されるものではない。
【００２５】
（実施の形態１）
図１は、本発明の実施の形態１における断熱ケースの分解斜視図である。図２は、同実施の形態１における断熱ケースの平面分割面部の嵌合構成を示す部分分解斜視図である。図３は、同実施の形態１における断熱ケースの立面分割面部の嵌合構成を示す部分分解斜視図である。図４は、同実施の形態１における凸部の嵌合前の構造を示す部分断面図である。図５は、同実施の形態１における凹部の嵌合前の構造を示す部分断面図である。
【００２６】
図１乃至図５において、断熱ケース１は、発泡スチロールの成型品であり、平面分割面Ｘと、前記平面分割面Ｘに対して直角方向となる立面分割面Ｙが連続する分割面を有し、この分割面によって第一ケース２と第二ケース３に分割できる構成となっている。
【００２７】
断熱ケース１は、空洞状に形成され、隣り合う側面に吸込み口と吹出し口（いずれも図示せず）を具備し、内部に後述する冷凍サイクルの蒸発器と蒸発器用ファンをユニット化した冷却部４が配置される。
【００２８】
第一ケース２の平面分割面Ｘには、図２に示す如く突堤状の長く連続した凸部５が型成形によって一体に設けられている。
【００２９】
また、第二ケース３において、第一ケース２と対向する平面分割面Ｘには、図２に示す如く凸部５が嵌合する溝状の凹部６が型成形によって一体に設けられている。
【００３０】
さらに、第一ケース２の傾斜した立面分割面Ｙには、図３に示す如く突堤状の長く連続した凸部７が型成形によって一体に設けられている。
【００３１】
また、第二ケース３において、第一ケース２と対向する傾斜した立面分割面Ｙには、図３に示す如く凸部７が嵌合する溝状の凹部８が型成形によって一体に設けられている。
【００３２】
凸部５、７は必ずしも平面分割面Ｘから立面分割面Ｙに亘って全体に連続して繋がる構成とするものではなく、例えば、形状が複雑で型成形が困難な箇所等については、凸部５、７の繋がりを無くし、対向する第二ケース３の平面分割面Ｘあるいは立面分割面Ｙと単なる面の当接となる構成としてもよいものである。
【００３３】
同様に、凹部６、８についても平面分割面Ｘから立面分割面Ｙに亘って全体に連続して繋がる構成とする必要はなく、部分的に第一ケース２の平面分割面Ｘあるいは立面分割面Ｙと単なる面の当接となる構成としてもよいものである。
【００３４】
さらに、平面分割面Ｘあるいは立面分割面Ｙにおいて断続的に凸部５、７と凹部６、８の嵌合が形成される構成とすることも可能であり、かかる場合は、特に凸部５、７の破損リスクが軽減できるが、逆に嵌合によるシール性が低下するため、最適な範囲での断続構成とする必要がある。
【００３５】
第一ケース２に設けた凸部５、７は、図４に示す如く基部分から先端に亘って略一定の幅寸法Ｌに形成されているもので、さらに詳述すると、基部から先端部にかけて微小に傾斜されており、先端部の幅が微妙に小さく形成されている。
【００３６】
また第二ケース３に設けられた凹部６、８は、図５に示す如く基部から先端に亘って略一的の幅寸法Ｌａに形成されているもので、さらに詳述すると、基部から下端部にかけて微小に傾斜されており、下端部の幅が微妙に小さく形成されている。
【００３７】
そして、凸部５、７と凹部６、８における相嵌合する面には、一面に粘着剤が塗布された保護シート９が設けられている。ここで、保護シート９は、粘着剤に変えて接着剤を塗布したものとしてもよい。
【００３８】
すなわち、凸部５、７には、前記粘着剤塗布面を貼り付け面として、保護シート９がその凸部５、７の外面のみならず、基部の周辺に亘って貼り付けられている。
【００３９】
また、凹部６、８には、前記粘着剤塗布面を貼り付け面として、保護シート９がその凹部６、８の内面のみならず、基部の周辺に亘って貼り付けられている。
【００４０】
換言すると、保護シート９は、凸部５、７と凹部６、８の嵌合面に加えて、第一ケース２と第二ケース３の前記嵌合に伴う分割面（接合面）にまで亘って設けられている。
【００４１】
なお、図１において、前述の如く断熱ケース１は、空洞状に形成されているもので、冷却部４を載置している底面を図示していないが、底面は、第二ケース３と一体に形成されているものである。必要に応じて、断熱ケース１を、第一ケース２、第二ケース３、底面の３部品で構成することもできる。
【００４２】
したがって、第一ケース２と冷却部４を載置した第二ケース３を平面分割面Ｘと立面分割面に沿って付き合わせ、適当な圧力を上方から下方に加えて凹部６、８に凸部５、７を嵌合することにより、第一ケース２と第二ケース３の組立てが完了する。
【００４３】
このとき平面分割面Ｘの凸部５と凹部６は、加圧方向と嵌合方向が同一であるため、嵌合作業は容易である。
【００４４】
また、傾斜した立面分割面Ｙにおいても加圧方向で嵌合が行われるため、その嵌合作業は平面分割面Ｘと同様に容易に行えるものである。
【００４５】
したがって、断熱ケース１の組立てにおいて、第一ケース２を上方から加圧することにより、特に立面分割面Ｙにおいて凸部７が凹部８の縁に引っ掛かり、第二ケース３との嵌合がやり難くなる等の支障を生じることなく、断熱ケース１を組立てることができる。
【００４６】
また、かかる嵌合状態においては、凸部５、７と凹部６、８の弾性変形に加えて保護シート９も若干弾性変形し、凸部５、７と凹部６、８の隙間を埋めた状態となる。その結果、第一ケース２と第二ケース３のシール性も確保でき、断熱ケース１としての信頼性を損なうことも抑制できるものである。
【００４７】
さらに、断熱ケース１を分割する場合は、組立て時とは逆に、第一ケース２を上方へ持ち上げるように力を加えることにより、平面分割面Ｘ、立面分割面Ｙそれぞれから凸部５、７が凹部６、８から外れ、第一ケース２を第二ケース３から分離することができる。
【００４８】
このとき、持ち上げる方向に対して直角方向の力が作用し、凸部５、７を折る、あるいは凹部６、８を破損するように力が作用した場合であっても、保護シート９により、凸部５、７の折れ、あるいは凹部６、８の破損が抑制される。
【００４９】
このように、断熱ケース１の分割、組立てにおいて、複雑な方向に力を作用させることがないため、作業性がよく、特に嵌合、分離時における凸部５、７の破損が抑制でき、破損に起因して断熱ケース１の性能を低下させることも抑制できるものである。
【００５０】
（実施の形態２）
図６を参照しながら、先の実施の形態１で説明した断熱ケース１を具備する冷却ユニットについて説明する。図５は、本発明の実施の形態２における冷却ユニットの模式図である。
【００５１】
冷却ユニット１０は、機械室Ａと冷却室Ｂに区分されており、圧縮機１１、凝縮器１２、減圧器１３、蒸発器１４を環状に連結した周知の構成からなる冷凍サイクルと、周辺空気と凝縮器１２の熱交換を促進する凝縮器用ファン１５と、周辺空気と蒸発器１４の熱交換を促進する蒸発器用ファン１６を具備した構成となっている。
【００５２】
また、蒸発器１４と蒸発器用ファン１６は、吸込み口１７と吹出し口１８を有する断熱ケース１内に配置されている。
【００５３】
したがって、凝縮器１２部では、凝縮器用ファン１５により、破線矢印で示す如く風が流れ、蒸発器１４部では、実線矢印で示す如く吸込み口１７から蒸発器１４を通過し、ここで冷却された冷気が吹出し口１８へ流れる。
【００５４】
断熱ケース１は、機械室Ａからの熱が蒸発器１４側へ影響しないように遮断するもので、通常は、機械室Ａ内に露出して配置されている。また、冷却室Ｂは、便宜上設定したもので、通常は、断熱ケース１の吸込み口１７および吹出し口１８が断熱ダクト（図示せず）を介して冷却空間Ｃと連通し、冷気が循環するように構成されている。
【００５５】
上記冷却ユニット１０において、例えば、メンテナンスに伴い、断熱ケース１を分割する必要が生じた場合は、実施の形態１で説明したように、第一ケース２を上方へ持ち上げるように力を加えることにより、平面分割面Ｘ、立面分割面Ｙそれぞれにおいて凸部５、７が凹部６、８から外れ、第一ケース２を第二ケース３から分離することができる。しかも、複雑な方向に力を作用させることがないため、作業性がよく、特に嵌合、分離時における凸部５、７の破損が抑制でき、破損に起因して断熱ケース１の性能を低下させることも抑制できるものである。
【００５６】
また、断熱ケース１の分割面を、平面分割面Ｘと傾斜した立面分割面Ｙとしているため、断熱ケース１の設計において、冷却ユニット１０への組込み形態に適合する構成とするための制約事項も緩和でき、その結果、冷却ユニットの断熱ケース１による構成、形状の制限も緩和でき、冷却ユニットにおける設計の自由度を向上することができる。
【産業上の利用可能性】
【００５７】
本発明にかかる断熱材およびこれを備えた冷却ユニットは、断熱ケースの分割面（結合面）が同一平面上にない場合においても、取り外しが容易にできるので、さまざまな形態の冷却ユニットに対して広く適用できる。
【図面の簡単な説明】
【００５８】
【図１】本発明の実施の形態１における断熱ケースの分解斜視図
【図２】同実施の形態１における断熱ケースの平面分割面部の嵌合構成を示す部分分解斜視図
【図３】同実施の形態１における断熱ケースの立面分割面部の嵌合構成を示す部分分解斜視図
【図４】同実施の形態１における凸部の嵌合前の構造を示す部分断面図
【図５】同実施の形態１における凹部の嵌合前の構造を示す部分断面図
【図６】本発明の実施の形態２における冷却ユニットの模式図
【図７】従来技術の冷却ユニットに設けられる断熱ケースの分割状態を示す斜視図
【図８】同断熱ケースに設けられた突堤状凸部の部分断面図
【符号の説明】
【００５９】
１    断熱ケース
２    第一ケース
３    第二ケース
４    冷却部
５    凸部
６    凹部
７    凸部
８    凹部
９    保護シート
１０  冷却ユニット
１１  圧縮機
１２  凝縮器
１３  減圧器
１４  蒸発器
１５  凝縮器用ファン
１６  蒸発器用ファン
Ｘ    平面分割面
Ｙ    立面分割面
【図１】
2010032151.tif 000003
【図２】
2010032151.tif 000004
【図３】
2010032151.tif 000005
【図４】
2010032151.tif 000006
【図５】
2010032151.tif 000007
【図６】
2010032151.tif 000008
【図７】
2010032151.tif 000009
【図８】
2010032151.tif 000010